(57)【要約】【課題】表装材の交換を、当該レストルーム用ソファーの設置現場において誰でも簡単に行えるようにすることができて、それまで掛かっていた経費の節減を図ることのできるレストルーム用ソファーを、簡単な構成によって提供すること。【解決手段】少なくとも側面板１３及びアームレスト１４を、それぞれ収納空間１３ｃ・１４ｃを有する側面板基枠１３ａ及びアームレスト基枠１４ａと、これらの基枠１３ａ・アームレスト基枠１４ａの収納空間１３ｃ・１４ｃ内に収納されて固定される側面表装材１３ｂ及びアームレスト表装材１４ｂとにより構成するとともに、側面表装材１３ｂ及びアームレスト表装材１４ｂを、内部基板と、表面側表装材とにより平板状に形成したこと。【選択図】図４
2006167104.tif 000002
【特許請求の範囲】
【請求項１】
本体フレームに座部、その側面板、アームレスト、及び背凭れを設けて、不特定多数の人の利用に供するレストルーム用ソファーであって、
少なくとも前記側面板及びアームレストを、それぞれ収納空間を有する側面板基枠及びアームレスト基枠と、これらの基枠の前記収納空間内に収納されて固定される側面表装材及びアームレスト表装材とにより構成するとともに、
前記側面表装材及びアームレスト表装材を、内部基板と、表面側表装材とにより平板状に形成したことを特徴とするレストルーム用ソファー。
【請求項２】
前記本体フレームに収納空間を形成し、この収納空間の開口を表装板によって覆うとともに、この表装板の内側に、当該レストルーム用ソファーにおいて使用されるオーディオ・ビジュアル機器用のコントロール機器を纏めて取り付けたことを特徴とする請求項１に記載のレストルーム用ソファー。
【請求項３】
本体フレームに座部、その側面板、アームレスト、及び背凭れを設けて、不特定多数の人の利用に供するレストルーム用ソファーの表装材の交換方法であって、
少なくとも前記側面板及びアームレストを、それぞれ収納空間を有する側面板基枠及びアームレスト基枠と、これらの基枠の前記収納空間内に収納されて固定される側面表装材及びアームレスト表装材とにより構成しておくとともに、前記側面表装材及びアームレスト表装材を、内部基板と、表面側表装材とにより平板状に形成しておいて、
前記側面表装材及びアームレスト表装材を取り外してから、別の新しい前記側面表装材及びアームレスト表装材を、前記収納空間内に収納して固定するようにしたことを特徴とするレストルーム用ソファーの表装材の交換方法。
【発明の詳細な説明】
【技術分野】
【０００１】
本発明は、大型レジャー浴場やホテル等の宿泊施設の休憩室に設置してあって、不特定多数の人が利用するレストルーム用ソファー、及びその表装材の交換方法に関するものである。
【背景技術】
【０００２】
大型レジャー浴場やホテル等の宿泊施設の休憩室には、浴室から上がってきた人達が休憩したりくつろいたりするために利用するレストルーム用ソファーが沢山設置してある。これらのレストルーム用ソファーは、不特定多数の人が自由に使用するものであり、しかも風呂上がりの人が使用するものであるから、その特に表装材が、短期間の間にすり切れたり汚れたりする。そうなれば、当然これらのレストルーム用ソファーの表装材は、交換しなければならない。
【０００３】
このようなレストルーム用ソファーの表装材の交換作業は、その汚れたままのレストルーム用ソファーを、設置場所とは異なる交換作業現場まで一旦持ち帰り、当該レストルーム用ソファーの全体を分解して行っていた。このような従来方法であると、当然に往復の運搬作業が必要になるだけでなく、レストルーム用ソファーの分解作業も必要になって、非常に手間と労力が掛かるものとなっていたのである。
【０００４】
まして、近年のレストルーム用ソファーのように、図１にも示すようなオーディオ・ビジュアル機器３０も付設して、そのコントロール機器を内蔵したものが増加してくると、このレストルーム用ソファーの分解作業や表装材の張替作業においては、相当面倒な作業を含むものとなって時間も掛かるものとなってきている。
【０００５】
この種のレストルーム用ソファーについて、その表装材の交換作業に手間と時間が掛かるようになってくると、その交換作業のために、設置場所である大型レジャー浴場等の営業を一時停止せざるを得なくなり、その作業を行うよりも新たなレストルーム用ソファーを購入した方がよくなってきてしまうことになって、大型レジャー浴場等は相当なコストを強いられることになるのである。
【０００６】
そこで、本発明者等が、このレストルーム用ソファーの表装材の交換作業を簡単に行うようにするにはどうしたらよいかについて検討してきたところ、特許文献１に示されているような「椅子」あるいは「交換方法」が存在していることを見出したのである。
【特許文献１】特開平１０−１７９３２１号公報、要約、代表図
【発明の開示】
【発明が解決しようとする課題】
【０００７】
この特許文献１にて提案されている発明は、「組立性を良好にすると共に、組立てた後でも表皮材や詰め物、或は、カバーの交換を容易に行うことができるようにした椅子を提供すること」を目的として、図８にも示すように、「略平坦で剛性の座フレーム４を具備し、該フレーム４に座部５と背もたれ６を設けた椅子において、前記座フレーム４の中間適宜の位置に座部止着用の穴９を形成すると共に当該フレーム４の後部に背もたれ止着用の短か目の筒体１１又は棒体１０を縦向きに設ける一方、下面に前記止着用の穴９に入る係止片８を突設し、上面を座面に形成した座部５を、その係止片８を前記穴９に入れてスライドさせることにより、座フレーム４に着脱自在に取付けると共に、下面に前記筒体１１又は棒体１０に嵌挿される棒体１０又は筒体１１を下向きに設け、前面を背もたれ面に形成した背もたれ６を、その棒体１０又は筒体１１を座フレーム４の前記筒体１１又は棒体１０に嵌挿させることにより、座フレ−ム４に着脱自在に取付けるようにした」といった構成を有したものである。
【０００８】
しかしながら、この特許文献１の「椅子」は、座部５と背もたれ６とをフレーム４に対して着脱自在にしたものであって、これらの座部５または背もたれ６について交換は自在に行えるかもしれないが、その表装材の交換は容易には行えないと考えられる。何故なら、当該文献１の段落００１１の記載及び図８に示すように、「座部５は、平板状の剛性のあるベ−ス部材５ａの上にクッション材５ｂを配し、このクッション材５ｂを、布，皮革等の表皮材５ｃにより被覆して形成されている」ものであり、表皮材５ｃの取り外しを全く考慮していないものとなっているからである。
【０００９】
換言すれば、この特許文献１の「椅子」は、所謂「ノックダウン型式」のものとしたもの、つまり、座部５と背もたれ６とを、フレーム４とは別体のものとして梱包しておき、設置現場において、これらの座部５と背もたれ６とをフレーム４に組み付けるようにして、梱包や運搬を簡単かつ効率よく行えるようにしたものと考えられる。
【００１０】
勿論、当該文献１の段落００１６には、「椅子のフレームに対し、座部５，背もたれ６をいわばワンタッチ操作により、きわめて容易に着脱できるように構成されているので、表皮材５ｃ、６ｄやクッション材５ｂ、６ｃの取替えやカバー（図示せず）の着脱を容易に行うことができる」と記載されているが、これは、本発明者等が問題としていた「座部５と背もたれ６とをフレーム４から外して作業現場に持ち帰える」ことを前提としているようで、それでは、「ノックダウン型式」にした意味がなくなるだけでなく、「表皮材５ｃ」の交換作業の前には、座部５や背もたれ６の取り外しと運搬作業は行わなければならないことを意味していることになる。
【００１１】
また、この特許文献の椅子を構成している座部５や背もたれ６には、合成樹脂からなる「クッション材５ｂ、６ｃ」が入れてあるが、これらの「クッション材５ｂ、６ｃ」はそのまま捨てることができない実状にある。つまり、合成樹脂は、「産業廃棄物」として廃棄処分しなければならないものであるため、その廃棄処分も表装材の交換とともに考慮しなければならないとなると、表装材の交換作業は簡単には行えないことになってしますのである。
【００１２】
そこで、本発明者等は、この種のレストルーム用ソファーについて、その表装材の交換をするにあたってもっと簡単にするにはどうしたらよいか、について種々検討を重ねてきた結果、本発明を完成したのである。
【００１３】
すなわち、本発明の目的とするところは、レストルーム用ソファー自体の構成を工夫することによって、表装材の交換を、当該レストルーム用ソファーの設置現場において誰でも簡単に行えるようにすることができて、それまで掛かっていた経費の節減を図ることのできるレストルーム用ソファーを、簡単な構成によって提供することにある。
【課題を解決するための手段】
【００１４】
以上の課題を解決するために、まず、請求項１に係る発明の採った手段は、後述する最良の形態の説明中において使用する符号を付して説明すると、
「本体フレーム１１に座部１２、その側面板１３、アームレスト１４、及び背凭れ１５を設けて、不特定多数の人の利用に供するレストルーム用ソファー１０であって、
少なくとも側面板１３及びアームレスト１４を、それぞれ収納空間１３ｃ・１４ｃを有する側面板基枠１３ａ及びアームレスト基枠１４ａと、これらの基枠１３ａ・アームレスト基枠１４ａの収納空間１３ｃ・１４ｃ内に収納されて固定される側面表装材１３ｂ及びアームレスト表装材１４ｂとにより構成するとともに、
側面表装材１３ｂ及びアームレスト表装材１４ｂを、内部基板２０と、表面側表装材２１とにより平板状に形成したことを特徴とするレストルーム用ソファー１０」
である。
【００１５】
すなわち、この請求項１の発明に係るレストルーム用ソファー１０は、少なくとも側面板１３及びアームレスト１４を構成している側面板表装材１３ｂ・アームレスト表装材１４ｂについて、その交換を容易にしたものであり、そのために、まず、少なくとも側面板１３及びアームレスト１４に側面板表装材１３ｂ・アームレスト表装材１４ｂのための収納空間１３ｃ・１４ｃを形成したものである。また、このレストルーム用ソファー１０においては、側面表装材１３ｂ及びアームレスト表装材１４ｂを、内部基板２０と、表面側表装材２１とにより平板状に形成して、これら側面表装材１３ｂ及びアームレスト表装材１４ｂを、収納空間１３ｃ及び１４ｃ内に簡単に収納できるようにしたものである。
【００１６】
また、この請求項１の発明に係るレストルーム用ソファー１０において、少なくとも側面板１３及びアームレスト１４を構成している側面板表装材１３ｂ・アームレスト表装材１４ｂの交換を容易にしたということは、側面板表装材１３ｂ・アームレスト表装材１４ｂの製造を容易にしているということであり、レストルーム用ソファー１０全体の製造をも容易にしていることを意味している。
【００１７】
換言すれば、例えば側面板１３を構成している側面板表装材１３ｂについて考察してみると、この側面板表装材１３ｂは、図２及び図４に示すように、平板状の内部基板２０と、その表面側を覆う表装材２１とにより形成したものであるから、新しいものとして形成することが非常に簡単になっている。また、この側面板表装材１３ｂは、図２に示すように、その収納空間１３ｃ内に収納してからビス止めを行うことによって側面板１３の側面板基枠１３ａに簡単に取り付けられるから、側面板１３を簡単に形成または製造することができるのである。このことは、アームレスト１４を構成するアームレスト表装材１４ｂについても同様である。
【００１８】
また、側面板表装材１３ｂが側面板１３の収納空間１３ｃ内に簡単に取り付けられるということは簡単に取り外せるということでもある。しかも、この側面板表装材１３ｂは、平板状のものであるから、運送や保管も簡単に行えるのであり、例えば、当該レストルーム用ソファー１０の設置してある場所に当該側面板表装材１３ｂを運び、これを設置場所である大型レジャー浴場の担当者がドライバー一本で交換作業を行うことができるのである。このことは、アームレスト１４を構成しているアームレスト表装材１４ｂについても同様である。
【００１９】
以上の結果、当該レストルーム用ソファー１０の設置者は、非常に易いコストで、しかも営業を休むことなく当該レストルーム用ソファー１０のメンテナンス、つまり側面板表装材１３ｂの交換を行うことができ、従来のものに比して大きく経費の節減が行えるのである。
【００２０】
なお、各側面板表装材１３ｂ及びアームレスト表装材１４ｂは、内部基板２０と表面表装材２１によって平板状に構成したから、合成樹脂がゴミとして出ることはなく、古くなった各側面板表装材１３ｂ及びアームレスト表装材１４ｂの処分も簡単に行えるのである。
【００２１】
従って、この請求項１に係るレストルーム用ソファー１０は、少なくとも表装材１３ｂ及び１４ｂの交換を、当該レストルーム用ソファー１０の設置現場において誰でも簡単に行えて、それまで掛かっていた経費の節減を図ることができるものとなっているのである。
【００２２】
上記課題を解決するために、請求項２に係る発明の採った手段は、上記請求項１に記載のレストルーム用ソファー１０について、
「本体フレーム１１に収納空間１６を形成し、この収納空間１６の開口１６ａを表装板１７によって覆うとともに、この表装板１７の内側に、当該レストルーム用ソファー１０において使用されるオーディオ・ビジュアル機器３０用のコントロール機器３１を纏めて取り付けたこと」
である。
【００２３】
すなわち、この請求項２のレストルーム用ソファー１０は、これがオーディオ・ビジュアル機器３０を有するものである場合に、このオーディオ・ビジュアル機器３０の存在が側面板表装材１３ｂ・アームレスト表装材１４ｂの交換作業に邪魔にならないようにしたものである。
【００２４】
そのために、この請求項２のレストルーム用ソファー１０においては、本体フレーム１１に収納空間１６を形成し、この収納空間１６の開口１６ａを表装板１７によって覆うとともに、この表装板１７の内側に、当該レストルーム用ソファー１０において使用されるオーディオ・ビジュアル機器３０用のコントロール機器３１を、図５に示すように、纏めて取り付けたのである。なお、表装板１７の内側とは、当該表装板１７の内面であってもよいし、収納空間１６内であって表装板１７のすぐ内側であってもよいものである。
【００２５】
コントロール機器３１としては、所謂ＡＣアダプターや、リモコンスイッチ３２からの電波信号を受信して処理する機器、そのためのオーディオ・ビジュアル機器３０を作動させるもの等種々なものがあるが、これらのコントロール機器３１は、図５の（イ）に示すように、表装板１７に覆われている収納空間１６内に纏められており、図５の（ロ）に示すように、表装板１７を開くことにより簡単に取り出せるものとなっている。
【００２６】
オーディオ・ビジュアル機器３０のためのコントロール機器３１が、表装板１７を開くことにより簡単に取り出せるのであれば、そのメンテナンスや交換が簡単に行えることは勿論、側面板表装材１３ｂあるいはアームレスト表装材１４ｂの交換作業を行う場合に、このコントロール機器３１が邪魔にならないようにしておくことができる。
【００２７】
従来のレストルーム用ソファー１０においては、このコントロール機器３１が、オーディオ・ビジュアル機器３０や、コントロール機器３１を収納しておくための、図１及び図４に示したスイッチ用開口１４ｄの近くに別々に設置してあって、そのための配線が複雑に入り込んでいて、これらのコントロール機器３１や配線が側面板１３やアームレスト１４自体に組み込まれることがあった。これに対して、本発明の構成を採用したレストルーム用ソファー１０では、複雑に入り込んだ状態が解消されて、少なくとも側面板表装材１３ｂ及びアームレスト表装材１４ｂの取り付けが簡単に行え、結果的にこれら側面板表装材１３ｂ及びアームレスト表装材１４ｂの交換も簡単に行えるものとなっている。
【００２８】
従って、この請求項２のレストルーム用ソファー１０では、上記請求項１と同様な効果を発揮する他、レストルーム用ソファー１０自体の製造もより一層簡単に行うことができるものとなっているのである。
【００２９】
上記課題を解決するために、請求項３に係る発明の採った手段は、
「本体フレーム１１に座部１２、その側面板１３、アームレスト１４、及び背凭１５れを設けて、不特定多数の人の利用に供するレストルーム用ソファー１０の表装材の交換方法であって、
少なくとも側面板１３及びアームレスト１４を、それぞれ収納空間１３ｃ・１４ｃを有する側面板基枠１３ａ及びアームレスト基枠１４ａと、これらの基枠１３ａ・アームレスト基枠１４ａの収納空間１３ｃ・１４ｃ内に収納されて固定される側面表装材１３ｂ及びアームレスト表装材１４ｂとにより構成しておくとともに、側面表装材１３ｂ及びアームレスト表装材１４ｂを、内部基板２０と、表面側表装材２１とにより平板状に形成しておいて、
側面表装材１３ｂ及びアームレスト表装材１４ｂを取り外してから、別の新しい側面表装材１３ｂ及びアームレスト表装材１４ｂを、収納空間１３ｃ・１４ｃ内に収納して固定するようにしたことを特徴とするレストルーム用ソファー１０の表装材の交換方法」
である。
【００３０】
すなわち、この請求項３の交換方法では、まず、レストルーム用ソファー１０について、上述したように、その少なくとも側面板１３及びアームレスト１４を、それぞれ収納空間１３ｃ・１４ｃを有する側面板基枠１３ａ及びアームレスト基枠１４ａと、これらの基枠１３ａ・アームレスト基枠１４ａの収納空間１３ｃ・１４ｃ内に収納されて固定される側面表装材１３ｂ及びアームレスト表装材１４ｂとにより構成しておくとともに、側面表装材１３ｂ及びアームレスト表装材１４ｂを、内部基板２０と、表面側表装材２１とにより平板状に形成しておくものである。
【００３１】
以上のように構成しておけば、側面表装材１３ｂ及びアームレスト表装材１４ｂの取り外しが簡単に行えることは上述した通りである。そして、別の新しい側面表装材１３ｂ及びアームレスト表装材１４ｂを、収納空間１３ｃ・１４ｃ内に収納して固定すれば、側面表装材１３ｂ及びアームレスト表装材１４ｂの交換が、当該レストルーム用ソファー１０の製造者は勿論、設置されている事業所の従業員でも簡単に行えるのである。
【００３２】
従って、この請求項３の交換方法によれば、レストルーム用ソファー１０自体の構成を工夫しておくことによって、表装材の交換を、当該レストルーム用ソファー１０の設置現場において誰でも簡単に行えるのであり、それまで掛かっていた経費の節減を図ることもできるのである。
【発明の効果】
【００３３】
以上、詳述した通り、本発明においては、
「本体フレーム１１に座部１２、その側面板１３、アームレスト１４、及び背凭１５れを設けて、不特定多数の人の利用に供するレストルーム用ソファー１０であって、
少なくとも側面板１３及びアームレスト１４を、それぞれ収納空間１３ｃ１４ｃを有する側面板基枠１３ａ及びアームレスト基枠１４ａと、これらの基枠１３ａ・アームレスト基枠１４ａの収納空間１３ｃ１４ｃ内に収納されて固定される側面表装材１３ｂ及びアームレスト表装材１４ｂとにより構成するとともに、
側面表装材１３ｂ及びアームレスト表装材１４ｂを、内部基板２０と、表面側表装材２１とにより平板状に形成したこと」
あるいは、
「本体フレーム１１に座部１２、その側面板１３、アームレスト１４、及び背凭１５れを設けて、不特定多数の人の利用に供するレストルーム用ソファー１０の表装材の交換方法であって、
少なくとも側面板１３及びアームレスト１４を、それぞれ収納空間１３ｃ１４ｃを有する側面板基枠１３ａ及びアームレスト基枠１４ａと、これらの基枠１３ａ・アームレスト基枠１４ａの収納空間１３ｃ１４ｃ内に収納されて固定される側面表装材１３ｂ及びアームレスト表装材１４ｂとにより構成しておくとともに、側面表装材１３ｂ及びアームレスト表装材１４ｂを、内部基板２０と、表面側表装材２１とにより平板状に形成しておいて、
側面表装材１３ｂ及びアームレスト表装材１４ｂを取り外してから、別の新しい側面表装材１３ｂ及びアームレスト表装材１４ｂを、収納空間１３ｃ１４ｃ内に収納して固定するようにしたこと」
にその構成上の特徴があり、これにより、レストルーム用ソファー１０自体の構成を工夫しておくことによって、表装材の交換を、当該レストルーム用ソファー１０の設置現場において誰でも簡単に行え、それまで掛かっていた経費の節減を図ることのできるレストルーム用ソファー１０、及びその表装材の交換方法を提供することができるのである。
【発明を実施するための最良の形態】
【００３４】
次に、上記のように構成した各請求項に係る発明を、図面に示した最良の形態であるレストルーム用ソファー１０について説明するが、この最良形態のレストルーム用ソファー１０は、上記請求項３の交換方法をも実質的に含むものである。
【００３５】
さて、図１には、本最良形態に係るレストルーム用ソファー１０が示してある。このレストルーム用ソファー１０は、例えば大型レジャー浴場やホテルなどの浴室から出た部屋に大量（大きな施設では１００台以上になることもある）に設置されるものであり、本体フレーム１１に、座部１２、その側面板１３、アームレスト１４、及び背凭れ１５、オーディオ・ビジュアル機器３０である小型テレビを設けたものである。なお、本最良形態のレストルーム用ソファー１０では、背凭れ１５の上部に音楽を聴くためのスピーカーが埋め込んである。勿論、これらのレストルーム用ソファー１０は、当該浴場を訪れた不特定多数の人の利用に供するものである。
【００３６】
この最良形態のレストルーム用ソファー１０を構成している本体フレーム１１は、これに座部１２、その側面板１３、アームレスト１４、及び背凭れ１５、オーディオ・ビジュアル機器３０である小型テレビが設けられるようにしたものであり、図１に示すように、後述する各側面板基枠１３ａ・アームレスト基枠１４ａを固定的に取り付けられるようにしたものである。特に、本最良形態のレストルーム用ソファー１０においては、上記アームレスト１４について、その全体がアームレスト基枠１４ａを介して脱着自在に取り付けてあり、このアームレスト１４の脱着、及び後述するアームレスト表装材１４ｂの交換が容易となるようにしてある。
【００３７】
また、この本体フレーム１１では、図１及び図５に示すように、その前方下部部分に、後述する側面板表装材１３ｂ・アームレスト表装材１４ｂと同様に形成した表装材１７ａによって覆われる表装板１７を開閉自在に設けておき、この表装板１７によって収納空間１６を覆うようにしてある。この収納空間１６内には、オーディオ・ビジュアル機器３０のためのコントロール機器３１を収納できるようにしてあるが、この収納空間１６の開口１６ａは、上述した表装板１７を開けることにより、図５に示したように大きく開放されることになるものである。
【００３８】
そして、このレストルーム用ソファー１０においては、図２に示したように、側面板１３が、収納空間１３ｃを有する側面板基枠１３ａと、この基枠１３ａの収納空間１３ｃ内に収納されて固定される側面表装材１３ｂとにより構成してあるとともに、この側面表装材１３ｂを、図２中の点線にて示したように、内部基板２０と、表面側表装材２１とにより平板状に形成したものである。
【００３９】
また、このレストルーム用ソファー１０においては、図２に示したように、アームレスト１４が、収納空間１４ｃを有するアームレスト基枠１４ａと、このアームレスト基枠１４ａの収納空間１４ｃ内に収納されて固定されるアームレスト表装材１４ｂとにより構成してあり、アームレスト表装材１４ｂを、上記の側面板表装材１３ｂと同様に、内部基板２０と、表面側表装材２１とにより平板状に形成してある。なお、このアームレスト表装材１４ｂについては、図４に示したように、リモコンスイッチ３２を収納するためのスイッチ用開口１４ｄが形成してある。
【００４０】
ところで、側面板表装材１３ｂ・アームレスト表装材１４ｂ、及び表装板１７のための表装材１７ａは、内部基板２０と表面表装材２１とによって平板状に形成してある。内部基板２０は、所謂「合板」や板材を使用したものであり、表面表装材２１は、座部１２や背凭れ１５の表装材と同じ材料と模様のものである。内部基板２０を「合板」や板材によって構成したのは、これを平板状にするためであることは当然として、側面板表装材１３ｂ・アームレスト表装材１４ｂをその収納空間１３ｃ・１４ｃに収納してビス止めし易くするためである。
【００４１】
本最良形態のレストルーム用ソファー１０では、オーディオ・ビジュアル機器３０として、所謂液晶テレビジョンを採用しているが、その他種々なものが適用されるものである。このオーディオ・ビジュアル機器３０のためのコントロール機器３１は、図５に示すように、上述した本体フレーム１１内に形成してあって表装板１７によって覆われる収納空間１６内に収納してある。また、本最良形態では、オーディオ・ビジュアル機器３０の操作を行うリモコンスイッチ３２が、図１に示すように、一方のアームレスト１４の内側に設置できるようにしてあり、このリモコンスイッチ３２は、アームレスト表装材１４ｂに形成したスイッチ用開口１４ｄ内に出し入れ自在に収納されていることは、前述した通りである。
【００４２】
なお、各レストルーム用ソファー１０のオーディオ・ビジュアル機器３０については、図６に示すような配線で集中電源管理がなされているものであり、本最良形態のようにオーディオ・ビジュアル機器３０としてテレビジョンを採用する場合のテレビ信号も一箇所から配信できるようにしてある。
【００４３】
勿論、上記では説明しなかった座部１２及び背凭れ１５についても、表面表装材２１と同じ表装材によって表装してある。例えば、背凭れ１５については、図７に示したように、本体フレーム１１にリクライニング可能に軸止したフレーム上に緩衝材を取り付けておき、この緩衝材の上から袋状に縫製した表装材をはめ込み、必要な箇所でファスナー止めするようにしてある。このファスナー止めを解除すれば、当該背凭れ１５の表装材の交換は簡単に行えるものである。座部１２についても、同様にして表装材による覆いがなされていることは言うまでもない。
【００４４】
また、本最良形態では、側面板１３側の側面板表装材１３ｂ、及びアームレスト１４側のアームレスト表装材１４ｂについて本発明を採用した例について説明したが、本発明は、上述した座部１２や背凭れ１５についても適用できることは言うまでもなく、その場合には、座部１２や背もたれのフレームに対して、緩衝材あるいは緩衝バネを介して内部基板２０及び表面表装材２１からなる表装材を取り付けるとよい。
【図面の簡単な説明】
【００４５】
【図１】本発明に係るレストルーム用ソファーの全体斜視図である。
【図２】同レストルーム用ソファーの分解斜視図である。
【図３】同レストルーム用ソファーを示すもので、（イ）はその正面図、（ロ）はその側面図である。
【図４】レストルーム用ソファーを構成しているアームレストのための左右外側及び左右内側の合計４つのアームレスト表装材、側面板のための左右の側面板表装材、及び表装板のための表装材を並べて示した斜視図である。
【図５】同レストルーム用ソファーの前方下部に形成した収納空間を示すもので、（イ）は収納空間内にコントロール機器を収納した状態の斜視図、（ロ）はこの収納されていたコントロール機器を取り出した状態の斜視図である。
【図６】複数のレストルーム用ソファーにおいて使用されているオーディオ・ビジュアル機器の接続状況を示す配線図である。
【図７】同レストルーム用ソファーを構成している背凭れに対して表装材を取り付ける状態を示す斜視図である。
【図８】従来の技術を示す断面図である。
【符号の説明】
【００４６】
１０    レストルーム用ソファー
１１    本体フレーム
１２    座部
１３    側面板
１３ａ  側面板基枠
１３ｂ  側面板表装材
１３ｃ  アームレスト
１４    アームレスト
１４ａ  アームレスト基枠
１４ｂ  アームレスト表装材
１４ｃ  収納空間
１４ｄ  スイッチ用開口
１５    背凭れ
１６    収納空間
１６ａ  開口
１７    表装板
１７ａ  表装材
２０    内部基板
２１    表面表装材
３０    オーディオ・ビジュアル機器
３１    コントロール機器
３２    リモコンスイッチ
【図１】
2006167104.tif 000003
【図２】
2006167104.tif 000004
【図３】
2006167104.tif 000005
【図４】
2006167104.tif 000006
【図５】
2006167104.tif 000007
【図６】
2006167104.tif 000008
【図７】
2006167104.tif 000009
【図８】
2006167104.tif 000010